(57)【特許請求の範囲】
【請求項１】
記録媒体上に連続的なトラックを形成した上で、複数のトラックにまたがって１画面分のビデオデータを記録再生可能であって、前記トラックに対して連続的な番号として付与されたトラック番号と、記録されたビデオデータに基づくタイムコード情報とを用いて、前記記録媒体から前記ビデオデータを編集のために再生する記録再生方法であって、
前記記録媒体を走行させて、前記記録媒体上に連続的に形成されたトラックにおける前記トラック番号と前記タイムコード情報を読み取る読取工程と、
編集点の登録指示に従って、前記読取工程で読み取られた前記トラック番号と前記タイムコード情報とを記憶する記憶工程と、
編集動作の開始指示に従って、前記記憶工程で記憶されたトラック番号と前記読取工程で読み取られる現在位置のトラック番号とを比較して前記編集点の検索を行った後、さらに前記記憶工程で記憶されたタイムコード情報と前記読取工程で読み取られる現在位置のタイムコード情報とを比較して編集開始点の検索を行ってから、編集のための再生を開始可能とする編集工程とを有することを特徴とする記録再生方法。
【請求項２】
前記読取工程において検索開始時における位置の前記トラック番号と前記タイムコード情報が読めない場合には、戻し方向または送り方向へ検索を行うことを特徴とする請求項１記載の記録再生方法。
【請求項３】
前記記録媒体はテープ状であることを特徴とする請求項１記載の記録再生方法。
【請求項４】
記録媒体上に連続的なトラックを形成した上で、複数のトラックにまたがって１画面分のビデオデータを記録再生可能であって、前記トラックに対して連続的な番号として付与されたトラック番号と、記録されたビデオデータに基づくタイムコード情報とを用いて、前記記録媒体から前記ビデオデータを編集のために再生する記録再生装置であって、
前記記録媒体を走行させて、前記記録媒体上に連続的に形成されたトラックにおける前記トラック番号と前記タイムコード情報を読み取る読取手段と、
編集点の登録指示に従って、前記読取手段で読み取られた前記トラック番号と前記タイムコード情報とを記憶する記憶手段と、
編集動作の開始指示に従って、前記記憶手段で記憶されたトラック番号と前記読取手段で読み取られる現在位置のトラック番号とを比較して前記編集点の検索を行った後、さらに前記記憶手段で記憶されたタイムコード情報と前記読取手段で読み取られる現在位置のタイムコード情報とを比較して編集開始点の検索を行ってから、編集のための再生を開始可能とする編集手段とを有することを特徴とする記録再生装置。
【請求項５】
前記読取手段において検索開始時における位置の前記トラック番号と前記タイムコード情報が読めない場合には、戻し方向または送り方向へ検索を行うことを特徴とする請求項４記載の記録再生装置。
【請求項６】
前記記録媒体はテープ状であることを特徴とする請求項４記載の記録再生装置。
【発明の詳細な説明】
【０００１】
【発明の属する技術分野】
本発明は、記録再生方法及び装置に関する。
【０００２】
【従来の技術】
従来、記録テープの映像音声データの編集を、遠隔操作可能な外部記憶装置を用いて実行する編集機能を有するデジタルＶＴＲ（ビデオテープレコーダ）においては、記録テープに記録を行う場合は記録開始点からの映像の単位時間をタイムコードとして及び記録テープのトラック情報としてアブソリュートトラックナンバーを記録する方法が知られている「図８（ａ）のタイムコード、アブソリュートトラックナンバーの記録方法おける記録開始」。
【０００３】
通常、記録テープの位置情報として使用者に明示する場合においては、映像の単位時間としてのタイムコードを明示しており、明示されたタイムコードにより編集点の設定や、記録テープ位置の記憶等に使用される。
【０００４】
トラック情報として記録されるアブソリュートトラックナンバーにおいては、１フレームにおける映像音声データは数トラックにまたがって記録され、そのトラック毎にアブソリュートトラックナンバーが割り当てられて記録されるため、実際に使用者には明示していない場合が多い。
【０００５】
このタイムコードの記録を行う場合においては、記録開始時に記録テープ上にタイムコードが記録されている場合においては、そのタイムコード値から継続更新されるが「図８（ａ）のタイムコード、アブソリュートトラックナンバーの記録方法おける記録開始▲１▼」、記録開始時に記録テープ上にタイムコードが記録されていない場合においては、記録されるタイムコードは初期値から記録を行っている。また、アブソリュートトラックナンバーに関しても、記録開始時に記録テープ上にアブソリュートトラックナンバーが記録されていない場合においては、記録テープ位置により換算される中間値から記録を行っている「図８（ａ）のタイムコード、アブソリュートトラックナンバーの記録方法おける記録開始▲２▼」。
【０００６】
タイムコードを継続して記録し、アブソリュートトラックナンバーを間を開けずに記録するために、通常記録時においては、記録終了時点から記録テープを所定の長さ巻き戻し、その地点から記録を行っている。また、使用者が記録終了時点の検索を行い、その位置から記録を行うこと等により記録テープ上に同じタイムコードが複数存在すること防いでいる。
【０００７】
上述したように、使用者に明示される単位時間となるタイムコードを利用して使用者が登録した記録テープ位置に戻させる機能としてテープリターン機能等がある。
【０００８】
また、使用者に明示される単位時間となるタイムコードを利用して本体内に編集機能を内蔵したＶＴＲにおいては、記録テープ上の開始点（カットイン点）及び終了点（カットアウト点）のタイムコードを位置情報として登録し、登録されたタイムコードによってカットイン点からカットアウト点までの映像音声出力を外部記録装置に入力して制御を行うことで編集実行動作を行っている。
【０００９】
この編集実行動作において、まず、登録されたタイムコードを基準にカットイン点の検索を行い、カットイン点から再生を開始すると共に、外部記録装置を記録モードに制御し且つカットアウト点が検出されるまで再生を行い、カットアウト点において外部記録装置を記録停止モードに制御することで編集実行動作を行っている。
【００１０】
外部記録装置の制御に関しては、数種類の外部記録装置に対応するように構成されており、外部記録装置に記録を行わせる場合、制御信号を出力してから外部記録装置が実際に記録動作を開始するまでの時間及び（または）記録を終了するまでの時間は、各々の外部記録装置の記録開始時間や記録終了時間は異なっており、前記カットイン点及び（または）カットアウト点にて制御信号を出力した場合においては、記録しようとする映像音声データが記録開始時間や記録終了時間により編集点に対して記録されない部分がある場合や編集対象時間より長く記録されてしまう場合があるため、外部記録装置を制御する制御信号の出力を前記カットイン点及び（または）カットアウト点に対して出力位置の調節を時間及び（または）タイムコードを基準に調節値により演算（図２参照）を行い、出力位置を変更することより、外部記録装置に記録されるタイミングを再生されるカットイン点及び（または）カットアウト点に同期させる方法が知られている。
【００１１】
【発明が解決しようとする課題】
しかしながら、上述した従来例にあっては、編集の位置情報に使用され記録を行うタイムコードは、使用者が記録テープを取り出してしまったり、記録部分を再生終了後に記録終了位置を検索しないで記録を行った場合等においては、未記録部分からの記録となってしまうことがあり、記録されるタイムコードは初期値から記録され、また、映像の単位時間として記録されるため、使用者が記録テープに記録されている記録モードを認識せずに記録されている記録モードと記録する記録モードを変更して記録した場合「例えば、ＳＰ（標準モード）」で記録されている上にＬＰモード「（長時間モード）で上書きした場合」、結果として記録テープ上に複数の同じタイムコード値が存在する場合があった「図８（ｂ）の記録モードを変更して上書きした場合」。また、アブソリュートトラックナンバーに関しても、上記と同様な場合において、記録開始時に記録テープ上にアブソリュートトラックナンバーが記録されていない場合（未記録部分）においては、記録テープ位置により換算される中間値から記録を行っている「図８（ａ）のタイムコード、アブソリュートトラックナンバーの記録方法おける記録開始▲２▼」ために、リニアな位置情報としては使用できなかった。
【００１２】
この映像の単位時間となるタイムコードを利用して使用者が記録テープ位置の登録を行い、再生等により記録テープを送った後、使用者が登録した記録テープ位置戻らせる機能としてテープリターン機能を内蔵したＶＴＲにおいては、前記記録テープ上に複数の同じタイムコード値が存在する記録テープで使用者が記録テープ位置の登録を行った場合においては、登録されたタイムコードの検索を行うが、複数存在するタイムコードの中の登録した記録テープ位置であるか否かは、タイムコードのみでは判別することができなかった。この状態においてテープリターンを行った場合においては、使用者が登録を行った記録テープ位置とは異なる記録テープ位置に記録テープを移動してしまう場合があった。
【００１３】
また、この映像の単位時間となるタイムコードを利用して本体内に編集機能を内蔵したＶＴＲにおいては、前記記録テープ上に複数の同じタイムコード値が存在する記録テープで編集点の登録を行った場合、編集動作として編集点の検索を行うが、検索された編集点が複数存在するタイムコードの中の編集点であるか否かは、タイムコードのみでは判別することができなかった。この状態において編集を行った場合においては、使用者が登録した編集点とは異なる記録テープ位置により編集動作を行ってしまう場合があり、外部記録装置に記録される映像音声データは、編集登録したカットとは異なる映像音声データが記録されてしまうため、使用者はその記録された映像音声データ部分を消去や記録テープの巻き戻しを行って、再度編集動作を行わなければならないが、再度編集を実行した場合においても、必ずしも希望とする編集結果になるとは限らなかった。
【００１４】
更に、外部記録装置を制御する制御信号の出力を前記カットイン点及び（または）カットアウト点に対して出力する場合においては、出力位置の調節にて外部記録装置に記録されるタイミングを再生されるカットイン点及び（または）カットアウト点に同期させるために、設定されたタイムコードを調節値により演算し、その結果を信号出力位置としているため、図９（ｂ）の従来例に示すような場合においては、調節位置を”−４フレーム”とした場合、演算されたタイムコードがず９（ｂ）おける従来例のコマンド発行ＴＴＣに示すように設定された編集点からの信号出力調節位置とは限らなかった。そのため、この場合においても使用者が登録を行った編集点とは異なる記録テープ位置により編集動作を行ってしまう場合があり、このような場合においても、外部記録装置に記録される映像音声データは、編集登録したカットとは異なる映像音声データが記録されてしまい、使用者はその記録された映像音声データ部分を消去や記録テープの巻き戻しを行って、再度編集動作を行わなければならないが、再度編集を実行した場合においても、必ずしも希望とする編集結果になるとは限らなかった。
【００１５】
本発明は上述した従来の技術の有するこのような問題点に鑑みてなされたものであり、その目的とするところは、仮に記録媒体上に重複するタイムコードが存在する場合であっても、編集等で所望の位置を検索する際に誤検索を防ぐことができ、正確な編集動作を実行できる記録再生方法及び装置を提供しようとするものである。
【００１７】
【課題を解決するための手段】
上記目的を達成するため本発明の記録再生方法は、記録媒体上に連続的なトラックを形成した上で、複数のトラックにまたがって１画面分のビデオデータを記録再生可能であって、前記トラックに対して連続的な番号として付与されたトラック番号と、記録されたビデオデータに基づくタイムコード情報とを用いて、前記記録媒体から前記ビデオデータを編集のために再生する記録再生方法であって、前記記録媒体を走行させて、前記記録媒体上に連続的に形成されたトラックにおける前記トラック番号と前記タイムコード情報を読み取る読取工程と、編集点の登録指示に従って、前記読取工程で読み取られた前記トラック番号と前記タイムコード情報とを記憶する記憶工程と、編集動作の開始指示に従って、前記記憶工程で記憶されたトラック番号と前記読取工程で読み取られる現在位置のトラック番号とを比較して前記編集点の検索を行った後、さらに前記記憶工程で記憶されたタイムコード情報と前記読取工程で読み取られる現在位置のタイムコード情報とを比較して編集開始点の検索を行ってから、編集のための再生を開始可能とする編集工程とを有することを特徴とする。
【００２３】
また、上記目的を達成するため本発明の記録再生装置は、記録媒体上に連続的なトラックを形成した上で、複数のトラックにまたがって１画面分のビデオデータを記録再生可能であって、前記トラックに対して連続的な番号として付与されたトラック番号と、記録されたビデオデータに基づくタイムコード情報とを用いて、前記記録媒体から前記ビデオデータを編集のために再生する記録再生装置であって、前記記録媒体を走行させて、前記記録媒体上に連続的に形成されたトラックにおける前記トラック番号と前記タイムコード情報を読み取る読取手段と、編集点の登録指示に従って、前記読取手段で読み取られた前記トラック番号と前記タイムコード情報とを記憶する記憶手段と、編集動作の開始指示に従って、前記記憶手段で記憶されたトラック番号と前記読取手段で読み取られる現在位置のトラック番号とを比較して前記編集点の検索を行った後、さらに前記記憶手段で記憶されたタイムコード情報と前記読取手段で読み取られる現在位置のタイムコード情報とを比較して編集開始点の検索を行ってから、編集のための再生を開始可能とする編集手段とを有することを特徴とする。
【０１２５】
【発明の実施の形態】
以下、本発明の各実施の形態を図１〜図７に基づき説明する。
【０１２６】
（第１の実施の形態）
まず、本発明の第１の実施の形態を図１及び図２に基づき説明する。
【０１２７】
図１は、本発明の第１の実施の形態に係る記録再生装置である編集機能内蔵カメラ一体型ＶＴＲ（以下、ＶＴＲと記述する）の構成を示す図である。同図において、１は撮像部で、被写体を映像信号に変換するものである。２はビデオ信号処理部で、ビデオ信号を処理するものであり、文字信号発生回路２Ａを有している。この文字表示信号発生回路２Ａは、後述するシステムコントロール部より指示された情報によりビデオ信号に重畳され出力される文字表示信号を発生するものである。
【０１２８】
３はＥＶＦ（電子ビューファインダー）部で、ビデオ信号処理部２により処理されたビデオ信号をモニターするためのものである。４はシステムコントロール部で、サーボ並びに各部の制御、記録テープ（記録媒体）位置情報の検出並びに編集設定／動作制御等を行うものである。５は機構部（メカデッキ部）で、ビデオ信号処理部２により処理されたビデオ信号を記録テープ（記録媒体）である磁気テープに記録したり、該磁気テープに記録された信号の再生を行うものである。６は操作スイッチ部で、ＶＴＲの動作制御並びに記録テープ位置検索設定／動作に関する複数のスイッチを有している。７はリモコン（リモートコントロール）送受信部である。
【０１２９】
次に、上記構成になるＶＴＲの基本動作及び記録テープ位置検索動作を図２のフローチャートに基づき説明する。この図２に示す処理は、ＶＴＲの制御を行うシステムコントローラ部４における図示しないマイクロコンピュータにより実行される。
【０１３０】
まず、ステップＳ２０１でＶＴＲの動作制御並びに記録テープ位置検索設定／動作に関する操作スイッチ部６によりＶＴＲの動作制御に関するスイッチが押されたか否かを判断する。そして、ＶＴＲの動作制御に関するスイッチが押された場合は、ステップＳ２０２で前記ステップＳ２０１において押されたスイッチによる動作モードに遷移する。ここでいうＶＴＲの動作制御に関するスイッチとは、再生モードに遷移させるＰＬＡＹスイッチや、記録モードに遷移させるＲＥＣスイッチ、記録テープ送りを行うＦＦスイッチ／ＲＥＷＩＮＤスイッチ等である。これらＶＴＲの制御を行うスイッチにより動作モードに遷移させた後、前記ステップＳ２０１へ戻って、再びＶＴＲの動作制御並びに記録テープ位置検索設定／動作に関する操作スイッチ部６によりＶＴＲの動作制御に関するスイッチが押されたか否かを判断する。
【０１３１】
また、前記ステップＳ２０１においてＶＴＲの動作制御に関するスイッチが押されない場合は、ステップＳ２０３で記録テープ位置の登録スイッチが押されたか否かを判断する。そして、記録テープ位置の登録スイッチが押された場合は、ステップＳ２０６で登録位置におけるタイムコード（ＴｉｍｅＣｏｄｅ）並びにアブソリュートトラックナンバー（ＡＢＳ  Ｔｒ．Ｎｏ）が読み取られているか否かを判断する。そして、登録位置におけるタイムコード並びにアブソリュートトラックナンバーが読み取られている場合は、ステップＳ２０７でタイムコード「ＴｉｍｅＣｏｄｅ（Ｓｒ＿ＴＴＣ）並びにアブソリュートトラックナンバー「ＡＢＳ  Ｔｒ．Ｎｏ．（Ｓｒ＿ＡＢＳ）」を登録した後、前記ステップＳ２０１へ戻って、再びＶＴＲの動作制御並びに記録テープ位置検索設定／動作に関する操作スイッチ部６によりＶＴＲの動作制御に関するスイッチが押されたか否かを判断する。
【０１３２】
また、前記ステップＳ２０６において登録位置におけるタイムコード並びにアブソリュートトラックナンバーが読み取られていない場合も、前記ステップＳ２０１へ戻って、再びＶＴＲの動作制御並びに記録テープ位置検索設定／動作に関する操作スイッチ部６によりＶＴＲの動作制御に関するスイッチが押されたか否かを判断する。
【０１３３】
一方、前記ステップＳ２０３において記録テープ位置の登録スイッチが押されない場合は、ステップＳ２０４で検索開始スイッチが押されたか否かを判断する。そして、検索開始スイッチが押されない場合は、前記ステップＳ２０１へ戻って、再びＶＴＲの動作制御並びに記録テープ位置検索設定／動作に関する操作スイッチ部６によりＶＴＲの動作制御に関するスイッチが押されたか否かを判断する。
【０１３４】
また、前記ステップＳ２０４において検索開始スイッチが押された場合は、ステップＳ２０５で検索対象となるタイムコード並びにアブソリュートトラックナンバーが登録されているか否かを判断する。そして、検索対象となるタイムコード並びにアブソリュートトラックナンバーが登録されていない場合は、前記ステップＳ２０１へ戻って、再びＶＴＲの動作制御並びに記録テープ位置検索設定／動作に関する操作スイッチ部６によりＶＴＲの動作制御に関するスイッチが押されたか否かを判断する。
【０１３５】
また、前記ステップＳ２０５おいて検索対象となるタイムコード並びにアブソリュートトラックナンバーが登録されている場合は、ステップＳ２０８で現在のアブソリュートトラックナンバー（ＡＢＳ  Ｔｒ．Ｎｏ）とサーチ情報のアブソリュートトラックナンバー（ＡＢＳ  Ｔｒ．Ｎｏ）とを比較する。そして、Ｓｒ＿ＡＢＳ＜ＡＢＳ−２０の場合は、ステップＳ２０９でＶＴＲの動作モードをＲＥＷＩＮＤ（巻き戻し）モードに制御した後、前記ステップＳ２０８へ戻り、現在のアブソリュートトラックナンバー（ＡＢＳ  Ｔｒ．Ｎｏ）とサーチ情報のアブソリュートトラックナンバー（ＡＢＳ  Ｔｒ．Ｎｏ）とを比較する。
【０１３６】
また、前記ステップＳ２０８においてＳｒ＿ＡＢＳ＞ＡＢＳ＋２０の場合は、ステップＳ２１０でＦＦ（早送り）モードに制御した後、前記ステップＳ２０８へ戻り、現在のアブソリュートトラックナンバー（ＡＢＳ  Ｔｒ．Ｎｏ）とサーチ情報のアブソリュートトラックナンバー（ＡＢＳ  Ｔｒ．Ｎｏ）とを比較する。
【０１３７】
このときに比較対象となる現在のアブソリュートトラックナンバーが読めない場合においては、前記ステップＳ２０９へ進んでＶＴＲの動作モードをＲＥＷＩＮＤ（巻き戻し）モードに制御する。
【０１３８】
また、Ｓｒ＿ＡＢＳ＝ＡＢＳ±２０の場合は、ステップＳ２１１でＦｗｄＳｔｉｌｌ（正方向静止）モードに制御する。
【０１３９】
このような動作によりアブソリュートトラックナンバーにおける粗検策を行った後、ステップＳ２１２で現在のタイムコード（ＴｉｍｅＣｏｄｅ）とサーチ情報のタイムコード（ＴｉｍｅＣｏｄｅ）とを比較する。そして、Ｓｒ＿ＴＴＣ＜ＴＴＣの場合は、ステップＳ２１３でＶＴＲの動作モードをＲｖｓＦｒａｍｅ（逆駒送り）モードに制御した後、前記ステップＳ２１２へ戻って現在のタイムコード（ＴｉｍｅＣｏｄｅ）とサーチ情報のタイムコード（ＴｉｍｅＣｏｄｅ）とを比較する。
【０１４０】
また、前記ステップＳ２１２においてＳｒ＿ＴＴＣ＞ＴＴＣの場合は、ステップＳ２１４でＶＴＲの動作モードをＦｗｄＦｒａｍｅ（正駒送り）モードに制御した後、前記ステップＳ２１２へ戻って現在のタイムコード（ＴｉｍｅＣｏｄｅ）とサーチ情報のタイムコード（ＴｉｍｅＣｏｄｅ）とを比較する。
【０１４１】
また、前記ステップＳ２１２においてＳｒ＿ＴＴＣ＝ＴＴＣの場合は、ステップＳ２１５でＦｗｄＳｔｉｌｌ（正方向静止）モードに制御した後、前記ステップＳ２０１へ戻って、再びＶＴＲの動作制御並びに記録テープ位置検索設定／動作に関する操作スイッチ部６によりＶＴＲの動作制御に関するスイッチが押されたか否かを判断する。
【０１４２】
（第２の実施の形態）
次に、本発明の第２の実施の形態を図３〜図７に基づき説明する。
【０１４３】
なお、本実施の形態に係るＶＴＲの基本的な構成は、上述した第１の実施の形態における図１と同一であるから、同図を流用して説明する。
【０１４４】
図３〜図６は、本実施の形態に係るＶＴＲの動作手順を示すフローチャートであり、これらの図３〜図６に示す処理は、ＶＴＲの制御を行うシステムコントローラ部４における図示しないマイクロコンピュータにより実行される。
【０１４５】
まず、本実施の形態に係るＶＴＲの基本動作並びに編集動作を図３に基づき説明する。
【０１４６】
図３において、まず、ステップＳ３０１でＶＴＲの動作制御並びに編集設定／動作に関する操作スイッチ部６によりＶＴＲの動作制御に関するスイッチが押されたか否かを判断する。そして、ＶＴＲの動作制御に関するスイッチが押された場合は、ステップＳ３０２で前記ステップＳ３０１において押されたスイッチによる動作モードに遷移する。ここでいうＶＴＲの動作制御に関するスイッチとは、再生モードに遷移させるＰＬＡＹスイッチや、記録モードに遷移させるＲＥＣスイッチ、記録テープ送りを行うＦＦスイッチ／ＲＥＷＩＮＤスイッチ等である。これらＶＴＲの制御を行うスイッチにより動作モードに遷移させた後、前記ステップＳ３０１へ戻って、再びＶＴＲの動作制御並びに編集設定／動作に関する操作スイッチ部６によりＶＴＲの動作制御に関するスイッチが押されたか否かを判断する。
【０１４７】
また、前記ステップＳ３０１においてＶＴＲの動作制御に関するスイッチが押されない場合は、ステップＳ３０３で編集制御のスイッチが押されたか否かを判断する。そして、編集制御のスイッチが押されない場合は、前記ステップＳ３０１へ戻って、再びＶＴＲの動作制御並びに編集設定／動作に関する操作スイッチ部６によりＶＴＲの動作制御に関するスイッチが押されたか否かを判断する。
【０１４８】
また、前記ステップＳ３０３において編集制御のスイッチが押された場合は、ステップＳ３０４で前記ステップＳ３０３において押されているスイッチが編集点の登録か否かを判別する。そして、前記ステップＳ３０３において押されているスイッチが編集点の登録でない場合は、ステップＳ３０５で前記ステップＳ３０３において押されているスイッチが編集実行か否かを判別する。そして、前記ステップＳ３０３において押されているスイッチが編集実行でない場合は、ステップＳ３０７で前記ステップＳ３０３において押されているスイッチがカットイン調節か否かを判別する。そして、前記ステップＳ３０３において押されているスイッチがカットイン調節でない場合は、ステップＳ３０９で前記ステップＳ３０３において押されているスイッチがカットアウト調節か否かを判別する。
【０１４９】
一方、前記ステップＳ３０４において前記ステップＳ３０３において押されているスイッチが編集点の登録である場合は、ステップＳ３１３で登録位置におけるタイムコード（ＴｉｍｅＣｏｄｅ）並びにアブソリュートトラックナンバー（ＡＢＳ  Ｔｒ．Ｎｏ）が読み取られているか否かを判断する。そして、登録位置におけるタイムコード並びにアブソリュートトラックナンバーが読み取られていない場合は、前記ステップＳ３０１へ戻って、再びＶＴＲの動作制御並びに編集設定／動作に関する操作スイッチ部６によりＶＴＲの動作制御に関するスイッチが押されたか否かを判断する。
【０１５０】
また、前記ステップＳ３１３において、登録位置におけるタイムコード並びにアブソリュートトラックナンバーが読み取られている場合は、ステップＳ３１４でカットイン点が登録済みであるか否かを判断する。そして、カットイン点が登録済みである場合は、ステップＳ３１７でカットアウト点におけるタイムコード（ＴｉｍｅＣｏｄｅ）並びにアブソリュートトラックナンバー（ＡＢＳ  Ｔｒ．Ｎｏ）を登録する。次に、ステップＳ３１８で前記ステップＳ３１７において登録されたカットアウト点におけるタイムコード（ＴｉｍｅＣｏｄｅ）をＥＶＦ部３に表示し、次のステップＳ３１９で編集プログラムナンバーを更新した後、前記ステップＳ３０１へ戻って、再びＶＴＲの動作制御並びに編集設定／動作に関する操作スイッチ部６によりＶＴＲの動作制御に関するスイッチが押されたか否かを判断する。
【０１５１】
一方、前記ステップＳ３１４において、カットイン点が登録済みでない場合は、ステップＳ３１５でカットアウト点におけるタイムコード（ＴｉｍｅＣｏｄｅ）並びにアブソリュートトラックナンバー（ＡＢＳ  Ｔｒ．Ｎｏ）を登録する。次に、ステップＳ３１６で前記ステップＳ３１５において登録されたカットアウト点におけるタイムコード（ＴｉｍｅＣｏｄｅ）をＥＶＦ部３に表示した後、前記ステップＳ３０１へ戻って、再びＶＴＲの動作制御並びに編集設定／動作に関する操作スイッチ部６によりＶＴＲの動作制御に関するスイッチが押されたか否かを判断する。
【０１５２】
一方、前記ステップＳ３０５において前記ステップＳ３０３において押されているスイッチが編集実行である場合は、まず、図７におけるプログラムＮｏ．１から開始され、開始されるるプログラムＮｏ．におけるカットイン点が登録されていない場合においては実行を終了して、前記ステップＳ３０１へ戻って、再びＶＴＲの動作制御並びに編集設定／動作に関する操作スイッチ部６によりＶＴＲの動作制御に関するスイッチが押されたか否かを判断する。
【０１５３】
また、プログラムが登録されている場合においては、次のステップＳ３０６で図４に示す編集実行のサブルーチンを起動して編集処理を実行した後、次のステップＳ３１１で結果がエラーであるか否かを判断する。そして、結果がエラーでない場合は、前記ステップＳ３０１へ戻って、再びＶＴＲの動作制御並びに編集設定／動作に関する操作スイッチ部６によりＶＴＲの動作制御に関するスイッチが押されたか否かを判断する。
【０１５４】
また、前記ステップＳ３１１において結果がエラーである場合は、次のステップＳ３１２でＥＶＦ部３にエラー警告表示を行って、編集エラーであることを明示して使用者に知らせた後、前記ステップＳ３０１へ戻って、再びＶＴＲの動作制御並びに編集設定／動作に関する操作スイッチ部６によりＶＴＲの動作制御に関するスイッチが押されたか否かを判断する。
【０１５５】
一方、前記ステップＳ３０７において前記ステップＳ３０３において押されているスイッチがカットイン調節である場合は、次のステップＳ３０８でカットイン調節値を設定する。ここで調節される値は”０秒：０フレームから−５秒：００フレーム”までである。
【０１５６】
前記ステップＳ３０８においてカットイン調節値を設定した後は、前記ステップＳ３０１へ戻って、再びＶＴＲの動作制御並びに編集設定／動作に関する操作スイッチ部６によりＶＴＲの動作制御に関するスイッチが押されたか否かを判断する。
【０１５７】
一方、前記ステップＳ３０９において前記ステップＳ３０３において押されているスイッチがカットアウト調節である場合は、次のステップＳ３１０でカットアウト調節値を設定する。ここで調節される値は”−１秒：０フレームから＋５秒：００フレーム”までである。
【０１５８】
前記ステップＳ３０８においてカットイン調節値を設定した後は、前記ステップＳ３０１へ戻って、再びＶＴＲの動作制御並びに編集設定／動作に関する操作スイッチ部６によりＶＴＲの動作制御に関するスイッチが押されたか否かを判断する。
【０１５９】
前記ステップＳ３０８及びステップＳ３１０において調節設定された各々の調節値は、カットイン調節値並びにカットアウト調節値として記憶される。
【０１６０】
次に、前記図３のステップＳ３０６において実行される編集処理動作について、図４のフローチャートに基づき説明する。
【０１６１】
図４において、まず、ステップＳ４００でカットアウト情報のチェックが行われる。ここでは、まず、実行されるプログラムＮｏ．におけるカットアウト信号出力位置が登録されているかのチェック並びに前記記憶されているカットアウト調節値と図７に示すカットアウト調節値との比較が行われ、カットアウト信号出力位置が登録されており、また、カットアウト調節値も変更となっていない場合には、ステップＳ４０５へ進んでカットイン点の検索処理を行う。
【０１６２】
一方、前記ステップＳ４００において実行されるプログラムＮｏ．におけるカットアウト信号出力位置が登録されていない及び（または）カットアウト調節値が変更となっている場合においては、ステップＳ４０１で編集点のサーチを行うために登録されたカットアウト点のタイムコード、アブソリュートトラックナンバー、カットアウト調節値をサーチ情報として設定した後、次のステップＳ４０２で図５に示す編集点サーチのサブルーチンの起動を行う。次に、ステップＳ４０３でエラーのチェックを行い、検索エラーであると判別された場合は、本サブルーチンを終了して、前記図３のステップＳ３０１へ戻り、処理を終了する。
【０１６３】
一方、前記ステップＳ４０３において編集点を正常検索できたと判別された場合は、ステップＳ４０４で図５に示す編集点サーチのサブルーチンで設定されるタイムコード、アブソリュートトラックナンバーを図７のカットアウト信号出力位置情報として記憶した後、ステップＳ４０５へ進んでカットイン点の検索処理を行う。
【０１６４】
このステップＳ４０５では、カットアウト点の検索と同様に、登録されたカットイン点のタイムコード、アブソリュートトラックナンバー、カットイン調節値をサーチ情報として設定した後、次のステップＳ４０６で図５に示す編集点サーチのサブルーチンの起動を行う。次に、ステップＳ４０７でエラーのチェックを行い、検索エラーであると判別された場合は、本サブルーチンを終了して、前記図３のステップＳ３０１へ戻り、処理を終了する。
【０１６５】
一方、前記ステップＳ４０７において編集点を正常検索できたと判別された場合は、ステップＳ４０８で図５に示す編集点サーチのサブルーチンで設定されるタイムコード、アブソリュートトラックナンバーを図７のカットイン信号出力位置情報として記憶し、カットイン点の検索並びにカットイン出力位置情報の設定を終了する。次に、ステップＳ４０９でＶＴＲの動作モードをＰＬＡＹ（再生）モードにした後、ステップＳ４１０で再生されるタイムコード、アブソリュートトラックナンバーとカットイン出力位置とを比較し、それらが一致するか否かを一致するまで判別する。そして、一致した場合は、次のステップＳ４１１で外部記録装置に対して記録開始の制御コマンドを発行する。
【０１６６】
次に、ステップＳ４１２で再生されるタイムコード、アブソリュートトラックナンバーとカットアウト信号出力位置とを比較し、それらが一致するか否かを一致するまで判別する。そして、一致した場合は、次のステップＳ４１３で外部記録装置に対して記録停止の制御コマンドを発行する。次に、ステップＳ４１４でＳＴＯＰ（停止）モードとした後、次のステップＳ４１５でプログラムＮｏ．を更新する。次に、ステップＳ４１６で前記ステップＳ４１５において更新されたプログラムＮｏ．におけるカットイン点が登録されているか否かを判別する。そして、前記ステップＳ４１５において更新されたプログラムＮｏ．におけるカットイン点が登録されている場合は、前記ステップＳ４００に戻って編集動作を継続して実行する。
【０１６７】
また、前記ステップＳ４１６おいて前記ステップＳ４１５において更新されたプログラムＮｏ．におけるカットイン点が登録されていない場合或いは図７における最大プログラム数を上回った場合においては、編集動作を終了しエラー情報をクリアすると共に、前記図３のステップＳ３０１へ戻り、処理を終了する。
【０１６８】
次に、前記図４のステップＳ４０２及びステップＳ４０６において実行される編集点検索（サーチ）処理動作について、図５のフローチャートに基づき説明する。
【０１６９】
図５において、まず、ステップＳ５０１でサーチ情報として設定されたカットイン点のタイムコード、アブソリュートトラックナンバーについて、”ＡＢＳ＿ＴＴＣ＿サーチ”を行う後述する図６に示すサブルーチンを起動する。次に、ステップＳ５０２でプログラムＮｏ．における信号出力位置が登録されているか否かを判別する。そして、信号出力位置が登録されている場合は、ステップＳ５０３で前記記憶されている調節値と図７に示す調節値との比較が行われ、調節値が変更となっているか否かを判別する。そして、前記ステップＳ５０２において信号出力位置が登録されておらず、また、前記ステップＳ５０３において調節値が変更となっている場合においては、出力位置の検索を行うためにステップＳ５０４へ進む。
【０１７０】
このステップＳ５０４では、サーチ情報として設定されている調節値のチェックが行われる。そして、Ｓｒ＿Ｏｆｆｓｅｔ＜０の場合は、ステップＳ５０５でＶＴＲの動作モードをＲｖｓＦｒａｍｅ（逆駒送り）モードとし、ステップＳ５０６で調節値を”１フレーム分”加算した後、前記ステップＳ５０４へ戻って、サーチ情報として設定されている調節値のチェックが再び行われる。
【０１７１】
一方、前記ステップＳ５０４においてＳｒ＿Ｏｆｆｓｅｔ＞０の場合は、ステップＳ５０７でＶＴＲの動作モードをＦｗｄＦｒａｍｅ（正駒送り）モードとし、ステップＳ５０８で調節値を”１フレーム分”減算した後、前記ステップＳ５０４へ戻って、サーチ情報として設定されている調節値のチェックが再び行われる。
【０１７２】
また、前記ステップＳ５０４においてＳｒ＿Ｏｆｆｓｅｔ＝０の場合は、ステップＳ５０９でその位置のタイムコードとアブソリュートトラックナンバーが検出されたか否かを判別する。そして、タイムコードとアブソリュートトラックナンバーが検出された場合は、ステップＳ５１０でサーチ情報を更新し、エラー情報をクリアにした後、ステップＳ５１１でＶＴＲの動作モードをＦｗｄＳｔｉｌｌ（正方向静止）モードとした後、本処理動作を終了する。
【０１７３】
一方、前記ステップＳ５０９においてタイムコードとアブソリュートトラックナンバーが検出されない場合は、ステップＳ５１２で検索エラーとし、ステップＳ５１３でＳｔｏｐ（停止）モードとした後、本処理動作を終了する。
【０１７４】
一方、前記ステップＳ５０３において調節値が変更となっていない場合においては、前記ステップＳ５０９へ進んでその位置のタイムコードとアブソリュートトラックナンバーが検出されたか否かを判別する。
【０１７５】
【発明の効果】
以上詳述したように本発明によれば、仮に記録媒体上に重複するタイムコードが存在する場合であっても、編集等で所望の位置を検索する際に誤検索を防ぐことができ、正確な編集動作を実行できる。
【図面の簡単な説明】
【図１】本発明の第１の実施の形態に係る記録再生装置の概略構成を示す図である。
【図２】本発明の第１の実施の形態に係る記録再生装置の動作手順を示すフローチャートである。
【図３】本発明の第２の実施の形態に係る記録再生装置の動作手順を示すフローチャートである。
【図４】本発明の第２の実施の形態に係る記録再生装置の動作手順を示すフローチャートである。
【図５】本発明の第２の実施の形態に係る記録再生装置の動作手順を示すフローチャートである。
【図６】本発明の第２の実施の形態に係る記録再生装置の動作手順を示すフローチャートである。
【図７】本発明の第２の実施の形態に係る記録再生装置の編集設定／動作における編集基準となるカットイン点及びカットアウト点並びにの調節値、信号出力位置を記憶するエリアの表を示す図である。
【図８】記録媒体に記録されるタイムコードとアブソリュートトラックナンバーとの関係を示す図である。
【図９】制御信号出力位置の調節時における出力位置情報の関係を示す図である。
【符号の説明】
１    撮像部
２    ビデオ信号処理部
２Ａ  文字表示信号発生回路
３    ＥＶＦ（電子ビューファインダー）
４    システムコントロール部
５    機構部
６    操作スイッチ部
７    リモコン送受信部
【図１】
0003689560.tif 000002
【図２】
0003689560.tif 000003
【図３】
0003689560.tif 000004
【図４】
0003689560.tif 000005
【図５】
0003689560.tif 000006
【図６】
0003689560.tif 000007
【図７】
0003689560.tif 000008
【図８】
0003689560.tif 000009
【図９】
0003689560.tif 000010